(57)【要約】      （修正有）【課題】半身浴の際に、上半身を保温するための入浴用具を提供する。【解決手段】半月型の肩掛けであり、中綿、シリカゲルを内蔵し、防水加工する。【選択図】図１
0003182027.tif 000002
【実用新案登録請求の範囲】
【請求項１】
身に纏う半月型肩掛け、素材は綿布、若しくは、合成皮革等化学繊維で、同肩掛けに中綿、シリカゲルを内蔵、防水加工を施したことを特徴とする半月型半浴式用入浴用具で、近年、いろいろの健康法が宣伝されるが本考案においては入浴健康法の一つで、半浴式入浴法（半身浴とも言います）この入浴法は、身体の上半身つまり鳩尾から上を、お湯に浸けない為当入浴用具で、冷える上半身を保温する目的を特徴とする請求項１の半浴・全浴式用入浴用具及び半月型肩保温具保冷具の、半月型半浴式用入浴用具。
【請求項２】
上述の入浴用具と素材は同じくするものの、使用目的が全く異なり、一切、水やお湯に関係なく、請求項２においては、着衣の上から、肩に羽織るマフラーのように、更に、シリカゲルのみ内蔵の半月型肩保温具保冷具で、周縁をフリル等装飾も可能とし外出にも適応、冬季・夏期の寒暖時に、冷蔵・電子レンジにて保冷・保熱性のたかいシリカゲル内蔵で長時間対応できる請求項１記載の半浴・全浴式用入浴用具及び肩保温具保冷具の半月型肩保温具保冷具。
【請求項３】
（ハ）請求項３は、全身を浴槽に肩まで浸かる全浴式入浴法の入浴用具に関わるもので、全身を浴槽に浸かった際の身体に受ける水圧は実に１ｔとも言われている。高齢者、肺・心臓疾患を持病に持つ人、特に高血圧の人は、ゆっくり長時間お湯に浸かり身体を芯まで暖めることは血圧の上昇、動悸、発汗、疲労感により期待できなかったが、本考案は、此の課題を解決する為の、水圧防御の一実施例として身体の脇下から鳩尾まで覆う広幅の帯状のベルト、身体の胸腹部周囲の長さを、サイズ１００ｃｍ〜１２０ｃｍ、両端には両面ファスナーを固定する構成。細部は、肩部分に、ずれ落ち防止の幅４．５ｃｍ、長さ５．０ｃｍ〜６．０ｃｍの肩吊りベルトの片方を本体シートの背筋（中央）よりの上部に固定、もう一方の吊りベルトの先端に両面ファスナー雄面を１０ｃｍ、取り付け、防御用本体ベルトの胸・腹部分の上部に、長さ２６ｃｍ、幅１２ｃｍ両面ファスナー雌面を幅広に取り付けたことを特徴とした、全浴式法による入浴時に用いる、請求項１記載の全・半浴式用入浴用具及び肩保温具保冷具の、請求項３の身に纏う全浴式用水圧防御入浴用具。
【考案の詳細な説明】
【技術分野】
【０００１】  本考案、請求項１は、身に纏う、半浴式入浴法（半身浴とも言う）は、入浴時、鳩尾から肩までお湯に浸けない為、温まらない上半身に、本考案の、綿布・防水布、若しくは、化学繊維に防水加工を施したことを特徴とする。入浴時は、予め浴槽に投入して、温めた半月型半浴式用入浴用具を肩に羽織り、中綿・シリカゲル内蔵により保熱効果を高める入浴用具に関するものである。【０００２】  本考案、請求項２、半月型肩保温具保冷具においては、身に纏うものの、着衣の上から肩に羽織ることを特徴とする、冬期・夏期の寒暖の厳しいときに、用いるもので、前身ごろ・後身ごろの身丈を１２ｃｍ乃至１５ｃｍの、シリカゲル内蔵、本体周縁に電子レンジ耐用の防水布・防水加工の化学繊維と同素材でフリル等装飾を施した（綿布、中綿を用いない）請求項１記載の着衣の上に羽織る、半月型肩保温具保冷具に関するものである。【０００３】  本考案、請求項３においては、入浴による健康法は、鳩尾から下だけをお湯に浸ける半浴式と、全身を肩まで浸ける全浴式とがあり、家庭の一般的な浴槽でも、全浴式入浴の際全身をお湯につけた場合、身体全体が受ける水圧が非常に高く、高齢者、肺・心臓疾患の持病を持つ患者、特に高血圧の人は血圧が急上昇、長い時間お湯に浸かっていることができず、身体の芯まで温まることが難しかった。この様な事態を解決するための、一実施例として、全身浴の入浴時、簡単に身に纏える、吊りベルト付、幅広帯状の、本考案、全浴式用水圧防御入浴用具を用いることで、解決の一助になると思われる、全浴式用水圧防御の入浴用具に関するものである。
【背景技術】
【０００４】  近年の健康ブームにのって、入浴健康法もその一つで、入浴剤によるものや、入浴方法も多々有り、本考案、水圧防御の入浴用具も、入浴時に浴槽内で全身に受ける水圧が、種々の疾患や高齢者、特に高血圧の人には、肺・心臓に大きな負担となる。この様な病弱者は、血圧の急上昇により苦痛を伴い、長い間湯に浸かって身体の芯まで温まることができなかった。【０００５】家庭での入浴は、冬季等、脱衣室と湯殿との温度差もあって、熱いお湯に肩まで浸かるのは、高齢の人に多いのである。本考案は、暖かい居間に居るうちに、上半身に巻きつけるように身に纏い、お湯に入る用意を済ませて、浴室へ入るなど、身体に簡単に装着できる入浴用具などは未だ市場に見あたらない。
【先行技術文献】
【０００６】
【特許文献】
【特許文献】  特開２００３−３４２８０８  非特許文献１    私、田中の（拒絶になったのが一件あります）
【考案の概要】
【考案が解決しようとする課題】
【０００７】  ［請求項１］この考案は、家庭の風呂の入浴方法を、近年、持て囃されている半浴式と昔からの全身浴に分けたもので、先ず、請求項１の、半浴式用入浴用具においては、身体の鳩尾から上を、浴槽の湯面から出しての入浴法である。この入浴は健康のためと、ひいては美容にも良いことが知られ広まっている。然し冬の寒いころは、半浴式では、肩・腕・背中の上半身が芯まで温まらないといった難点があった。【０００８】  ［請求項２］請求項２においては、着衣の上から、半月型肩保温具保冷具を肩に羽織って、冬季暖かく、夏季は涼しく体温調節することを特徴とする。何処の家庭でも冷暖房設備があり帰宅したら先ず、部屋を温め又は、冷房することから始めるが、日々、広い空間を温めるには、大変な燃料を消費する。先ず、個々に身体の体温調節（半月型肩保温具保冷具のいずれか）を着衣のまま、肩に装着したところから、必要に応じて、室内の暖冷房をしたら燃費も節約できるのでは【０００９】  ［請求項３］請求項３の全浴式用入浴用具においては、家庭の浴槽に全身浴で、お湯に浸かった際の、身体に受ける水圧が大きく、熱い湯気とで、両方からの圧迫で、肺・心臓の疾患を持つ人特に、高血圧の人には、負担が大きく、長い時間お湯に浸かっておれず、したがって身体の芯から温まることができなかった。
【課題を解決するための手段】
【００１０】  請求項１の、身に纏う半月型半浴式用入浴用具は、入浴時、お湯を沸かす時に、浴槽に投入し温めておき、お湯に入った時に肩に羽織り、槽外に出るときは其の都度、浴槽に投入あたためる。本入浴用具は、ずれ落ち防止の釦に代えて、左右前身ごろの重なる部分に、広めの両面ファスナー縫着固定。簡単に着脱ができ、入浴後は水洗し浴室内に常備しておき、次に入浴する人も何時でも使用できることで上述の問題点を解決している。【００１１】請求項２、においては、お湯、入浴・入浴用具に関係なく、同じ身に纏うものの、半月型肩保温具保冷具は、着衣の上から肩に掛けることで冬期・夏期の厳しい季節を、冬はマフラー代わり、夏は肩から涼をとるもので、此の考案の応用一実施例として、細幅の当保温具保冷具の周縁にレースまたは、フリルの装飾を取り入れることも可能とする。素材の防水布、防水加工の科学繊維、シリカゲルのみを内蔵すること、形状は同じ半月型ながら、前身ごろ、後身頃の身丈を５ｃｍ乃至８ｃｍに狭めた、冷蔵庫・電子レンジ耐用の、着衣のまま、身に纏う半月型肩保冷具保温具。内蔵のシリカゲルによって長時間保冷保温がつずく構成により、上述の問題点を解決している。
【考案の効果】
【００１２】  本考案、請求項１、において、家庭で簡単に行える入浴健康法は、従来からの全浴式入浴法と、身体のほぼ半分の鳩尾から下だけをお湯に浸ける半浴式入浴法（半身浴ともいう）があり、後者の半浴式入浴法が、女性層には美容と健康に優しいと定着しつつある。身体に優しいとは、健康面で、肺・心臓疾患を持病に持つ人、高齢者、特に高血圧の人には、最も適しているものとして、しかしながら、此の、半浴式入浴法では、冬場は、鳩尾から上の上半身が温まらず、熱湯で長湯になると血圧が急上昇するので、長湯も出来ず、身体の芯から温めるという効用は望めなかった。【００１３】  以上のようなことから、本考案に係わる半浴式用入浴用具は、使用に際してシリカゲル内蔵のため湯温といえど、保温時間も長く肩に掛けているだけで、水圧も受けず、全浴式同様に上半身も温まる効果を得る。本入浴用具は入浴時、別途、熱湯をかけたり、熱湯に浸けたりの手間もいらず、浴槽のお湯に吊り下げ又は、投入するだけで良く、使用後は、水洗して浴槽内に常備でき、着脱も簡単、楽に入浴ができる半月型半身浴用入浴用具。【００１４】  本考案、請求項２、「正式名称を半月型肩保温具保冷具」の半月型肩掛けが防水布、化学繊維で構成され、細型で身丈１２ｃｍ〜１６ｃｍの肩掛けにシリカゲルを内蔵し、防水加工をしたことを特徴とする半月型肩保温具保冷具。寒暖の厳しい季節に着衣の上の、襟元、肩に羽織るもので、本体の周縁にレースやフリルの装飾を施し、室内着と併用で体温調節を可能とする。【００１５】  本考案、請求項３、家庭の一般的な浴槽で、肩までお湯に浸ける全身浴では、全身に受け  る水圧が１ｔとも言われている。したがって、高齢者、肺・心臓疾患の持病を持つ人、特に高血圧の人は、発汗により脱水、咽喉の渇き、熱い湯気で呼吸も苦しく、血圧が急上昇、疲れで長くはお湯に浸かれず、身体の芯まで温まることはできなかった。この様な事態に対応する、全浴式用水圧防御入浴用具の幅広のベルト装着が、水圧の圧迫を遮蔽し身体を守る。
【図面の簡単な説明】
【００１６】
【図１】本考案の半月型半浴式用入浴用具の実施例を示す正面図である。「請求項１」
【図２】本半月型半浴式用入浴用具（図１）の態様図である。「請求項１」
【図３】本半月型肩保温具保冷具、着衣の上に羽織った実施形態を示す図である。「請求項２」
【図４】本考案は全浴式入浴に用いる、幅広のコルセット風ベルトで厚地の防水布・化学繊維に、防水加工をした構成で、全浴式用水圧防御の入浴用具の正面図である。「請求項３」
【考案を実施するための形態】
【００１７】図１〜図２の本考案半月型半浴式入浴用具においては、身近になってきた家庭での入浴法で、半身をお湯に浸けないため、肩、背中、二の腕、又身体の芯まで温まらず寒々として、湯上がり時に、肩にシャワーを掛けて温めたりする。本入浴用具は別途に温める必要はなく浴槽に投入又は、吊り具で吊って予め温めておいて用いる。浴槽から出る度、其の都度、お湯に投げ入れ加温。本考案は、手軽に装着でき、肩に羽織り半身浴で入浴しても、全身浴とほぼ同じ効果があり、美容と健康に一役買うものである。図２は本半月型半浴式入浴用具の実施形態を示す図である。
【００１８】  図３、本考案、半月型肩保温具保冷具は、形態は同一ながら、使用目的が全く異なる、やや細型で、着衣の上に羽織ことを特徴とし、本肩保温具又、保冷具においては冬・夏の寒暖の厳しい時に肩から温めたり、涼を取ったり出来る、シリカゲルのみを内蔵、冷蔵庫電子レンジ対応の素材を防水加工した、体温調節に。細型、図３に図示するように、本体の周縁にレ−ス若しくは、フリルで、色・模様を取り入れたファッション性を持たせると楽しいマフラー代わりの衣類の小物となる。
【００１９】  図４、本考案、全浴式用入浴用具は、肺・心臓疾患の持病を持つ人、高齢者、高血圧の人が、家庭一般の浴槽で、全身をお湯に浸けた入浴中、身体に受ける水圧を如何に防ぐかに重点をおき、請求項３に記載、本水圧防御入浴用具  幅広のコルセット風ベルトを装着した一実施例であり、やや長時間の入浴にも耐えられ、血圧の上昇も緩やかになり、身体の芯まで温まることになる。本入浴用具を浴室に常備して置く、或は、温かい部屋で身に纏ってから、冷えた脱衣室〜浴室に行けば血圧上昇の不安も無く穏やかに、温浴効果も期待できる。
【実施例】
【００２０】  図１の、半月型半浴式用入浴用具の１実施例を示す正面図。    図２の、身に纏った半月型半浴式用入浴用具の１実施例を示す態様図。  図３の、着衣の上に纏った半月型肩保温具保冷具の１実施例を示す態様図。図４の、全浴式用の水圧防御入浴用具の実施例を示す正面図を、各々の請求項１・２・３・４記載の（［考案が解決しようとする課題］「０００７」請求項１）と（［考案が解決しようとする課題］「０００８」請求項２）（請求項３）と同じ、趣旨によるものです。再記載は割愛させていただきます。
【実施例】
【００２１】  図１の、身に纏う半月型半浴式用入浴用具の１実施例を示す正面図。    図２の半月型半身浴式用入浴用具のＩ実施例を示す態様図である。    図３においては、細型の半月型肩保温具保冷具の１実施例を示す態様図である。    図４の全浴式用水圧防御入浴用具の１実施例を示す正面図を、各々の請求項１・２・３記載の（［考案を解決するための手段］「０００９」請求項３）と同じ趣旨によるものです。再記載は割愛させていただきます。
【産業上の利用の可能性】
【００２２】  現在、東日本大震災以来、県・市でも電気の節約を、国家が先頭に立って呼びかけており、私達も協力しょうと思っています。この考案もそれは、微々たることかも知れませんが、皆が、身近な色々の物を無駄なく大切にすると大きな成果となります。わが国は、物作りの産業の資源の多くを輸入に頼っているので、当然のことですが。物作りで、特許製品輸出を国外にも拡げてもらいたいものです。卑近なことながら、本考案も、大きな期待はできないのですが試してみることにしております。何とか、実施化に繋げたいと思います。シャワーの水の浄水化も、スイッチ作動もみんな電気・電力が源ですから。又時節柄、剣呑な社会現象が起こり易い折、原材料を輸入時に略奪、喩えは好くありませんが、東日本のような事故が起きないように祈るばかりです。東日本の復旧・復興を心から希っております。
【符号の説明】
【００２３】１  半浴式用半月型入浴用具の本体
２  両面ファスナー・雌面
３  両面ファスナー・雄面
４  肩線バイヤスつなぎ目縫合部
５  吊り具かけ紐
６  全浴式用水圧防御入浴用具本体
７  入浴用具本体に両面  雄面ファスナー付肩吊り（ベルトのずれ落ち防止用）
８  肩吊りベルト広幅の両面  雌ファスナー縫着部
９  本入浴用具ベルト本体を表面から見た（本体と同幅・雄面ファスナ縫着部裏側）正面図
１０  もう一端の本体水圧防御入浴用具ベルト端には裏表の両側に補助ベルト通し付雌面ファスナー部
１１  入浴用具本体を裏表両面使用にもなるような全浴式用水圧防御入浴用具
１２  請求項２の半月型肩保温具保冷具  一実施例の態様図
【図１】
0003182027.tif 000003
【図２】
0003182027.tif 000004
【図３】
0003182027.tif 000005
【図４】
0003182027.tif 000006
【手続補正書】
【提出日】平成24年7月13日(2012.7.13)
【手続補正１】
【補正対象書類名】実用新案登録請求の範囲
【補正対象項目名】全文
【補正方法】変更
【補正の内容】
【実用新案登録請求の範囲】
【請求項１】
身に纏う半月型肩掛けからなる半月型半浴式用入浴用具であって、素材が綿布若しくは、合成皮革等化学繊維であり、前記半月型肩掛けに中綿、シリカゲルを内蔵し、防水加工をしたことを特徴とする半月型半浴式用入浴用具。
【手続補正２】
【補正対象書類名】明細書
【補正対象項目名】全文
【補正方法】変更
【補正の内容】
【考案の詳細な説明】
【技術分野】
【０００１】    本考案身に纏う（以下半月型肩掛けとします）一般家庭の浴槽で、半月型肩掛けを半浴式入浴に用いる際は、浴法として、鳩尾から上の上半身を浴槽の湯に浸さないので、冬の季節や寒い日は、身体の芯まで温まらないこともあり、然しながら高齢者  心臓疾患の持病のある人  高血圧の人には身体に受ける刺激も軽くて、女性には美容にも良いと言われる半浴式入浴法、半月型半浴式用入浴用具には、綿布若しくは化学繊維を用い中綿・シリカゲルを内蔵、防水加工を施したことを特徴とし、半月型肩掛けを此の入浴法に用いる時は、別途にお湯を沸かしたり電子レンジ加熱は厳禁で、予め浴槽に投入お湯の温度と同じ程度に温めるだけで、半浴式入浴時に肩に掛け保温、浴槽から出るときは其の都度お湯に投入、補足的に身に纏う半月型肩掛けで上半身を温める入浴用具、半月型半浴式用入浴用具に関するものである。
【背景技術】
【０００２】  家庭での入浴は近頃、入浴剤や健康入浴法等の話題も多く、本件も一つの実施例として半浴式入浴法（半身浴とも言う）が話題になって随分になるが、身体の芯から温まらず、冬場は寒いとか、湯上りにシャワーを肩から浴び温まってから出るなどと、身体の芯まで温まらず不満に思う人も多い。
【考案の概要】
【考案が解決しようとする課題】
【０００３】  当該  半月型半浴式用入浴用具は、身体の鳩尾から上を浴槽の湯面から出しての入浴法であり、本入浴法は、健康維持、女性には美容に良いという説も広まっており、然しながら、寒い季節等は、身体全体が温まらない欠点がある。
【課題を解決するための手段】
【０００４】  本考案  半月型半浴式用入浴用具（電子レンジ使用は厳禁）を用い、家庭の風呂で半浴式入浴を行う際、お湯を沸かす時にあらかじめ浴槽に投入、又は浴槽の湯面の図３吊り具に掛けて温め（湯温は４０°前後）身体をお湯に浸けた時に肩に掛けて、左右前身頃の上前・下前を面ファスナーで止め、ずれ落ちを防止、上半身を保温するもので、浴槽から出る時には其の都度吊り具に掛け温め、使用後は肩保温具を水洗し浴室の金具にかけて乾燥、家人が使い回しも出来る等、前述の問題点を解決している。
【考案の効果】
【０００５】  当該半月型半浴式用入浴用具は、携帯も可能、健康と美容にも良く廉価で入手でき、半浴式入浴に用いることで、身体の疲れも回復、高血圧の人にも刺激が少なく、全身浴同様に身体の芯まで温まり爽快感を得る。
【図面の簡単な説明】
【０００６】
【図１】  本考案の半月型半浴式用入浴用具の実施例を示す正面図。
【図２】  本考案入浴用具の実施例を示す態様図である。
【考案を実施するための形態】
【０００７】  身近になってきた家庭での健康入浴法、半月型半浴式用入浴用具図１〜１が寒い日の入浴には欠かせないものの一つとして、さして高価なものではなく、使い勝手も良く後始末も水洗いして浴槽内でも金具にかけて乾燥するだけでよく、従来のままで、本半月型半浴式用入浴用具を用いない場合は、上半身が温まらない欠点はそのままで、上がり湯に、肩からシャワーを掛けあたためるという水・光熱費の浪費も解決できない。図２〜１は本考案の実施例を示す態様図で、図２〜６及び図３〜６は入浴用具を浴槽で温める際に掛ける吊り具の態様図である。
【実施例】
【０００８】、
図１は半月型半浴式用入浴用具の一実施例を示す正面図である。図２は身に纏った半月型半浴式用入浴用具の実施例を示す態様図。図３は半月型半浴式用入浴用具１を浴槽に吊りおろし、湯温で温める態様図である。
【符号の説明】
【０００９】１  半浴式用入浴用具本体
２  両面ファスナー雌面
３  両面ファスナー雄面
４  本体前・後身頃のつなぎ目
５  吊り具にかける輪
６  浴槽に吊り下げる金具
【手続補正３】
【補正対象書類名】図面
【補正対象項目名】全図
【補正方法】変更
【補正の内容】
【図１】
0003182027.tif 000007
【図２】
0003182027.tif 000008
【図３】
0003182027.tif 000009
【手続補正書】
【提出日】平成24年12月25日(2012.12.25)
【手続補正１】
【補正対象書類名】明細書
【補正対象項目名】０００６
【補正方法】変更
【補正の内容】
【０００６】
【図１】  本考案の半月型半浴式用入浴用具の実施例を示す正面図。
【図２】  本考案入浴用具の実施例を示す態様図である。
【図３】  本考案水圧防御入浴用具の一実施例を示す正面図である。